(57)【要約】【課題】  遊技機において払出装置異常作動時のみならず払出制御基板でのトラブル発生時にも遊技球が遊技者側に無制限に払い出されないようにする。【解決手段】  払出装置下方の誘導通路を球受皿へ遊技球を導く払出通路と機外へ遊技球を排出する球抜き通路とに分岐し、分岐部に設けた切換部材を常時は球抜き通路側（機外側）に保持する。そして、遊技球払出信号を受けて主制御基板８が払出制御基板１２に制御コマンドを出力するとともに切換ソレノイド５９を「ＯＮ」にして切換部材を払出通路側（球受皿側）に切り換え、正規の払い出しが完了すると切換ソレノイド５９を「ＯＦＦ」にして切換部材を球抜き通路側（機外側）に切り換える。【選択図】        図４
2006305080.tif 000002
【特許請求の範囲】
【請求項１】
所定条件の成立を契機として遊技球払出信号を出力する払出信号発生手段と、該払出信号発生手段からの遊技球払出信号を受けて遊技球払出制御コマンドを出力する主制御基板と、該主制御基板からの遊技球払出制御コマンドを受けて遊技球の払い出しを制御する払出制御基板と、該払出制御基板により制御されて遊技球を払い出す払出装置と、該払出装置からの遊技球の払出しを検知する払出検知手段とを備え、前記払出装置から払い出された遊技球を誘導通路を介して球受皿へ導く遊技機において、
前記誘導通路を、前記払出装置の下流で該払出装置から払い出された遊技球を前記球受皿へ導く払出通路と該遊技球を機外へ排出する球抜き通路とに分岐させるとともに、その分岐部に、払い出された遊技球を前記球抜き通路側に案内する第１の作動位置と該遊技球を前記払出通路側に案内する第２の作動位置とに切り換え可能な切換部材を設け、
前記切換部材を前記遊技球払出信号が出力されるまでは前記第１の作動位置に保持し、前記主制御基板が、前記遊技球払出信号が入力されると、該遊技球払出信号に基づく遊技球の払出数を記憶手段に記憶するとともに前記切換部材を前記第１の作動位置から前記第２の作動位置に切り換え、前記払出検知手段により遊技球の払出しが検知される毎に前記記憶手段に記憶された払出数を減算して、該記憶手段に記憶された払出数が「０」になったら前記切換部材を前記第２の作動位置から前記第１の作動位置へ切り換えるよう構成したことを特徴とする遊技機。
【請求項２】
前記主制御基板は、前記遊技球払出信号に基づく遊技球払出制御コマンドを出力するまでに前記切換部材を前記第１の作動位置から前記第２の作動位置に切り換えることを特徴とする請求項１記載の遊技機。
【発明の詳細な説明】
【技術分野】
【０００１】
本発明は、パチンコ機等の遊技球を使用して遊技する遊技機に関し、特に、払出装置の異常作動時のみならず、払出制御基板でのトラブル発生により払出装置から遊技球が払い出された場合でも、遊技球が遊技者側に無制限に払い出されるのを防止可能な遊技機に関する。
【背景技術】
【０００２】
一般にパチンコ機は、球タンクに一時貯留した遊技球を整列して流下させる誘導通路に払出装置が配設され、払出装置から払い出された遊技球を誘導通路を経てパチンコ機前面の球受皿に導くよう構成される。そして、遊技盤面の所定領域への入賞を契機として遊技球払出信号（賞球払出信号）が主制御基板に入力され、あるいはプリペードカードユニットからの貸球指示の検出を契機として遊技球払出信号（貸球払出信号）が主制御基板に入力され、それにより主制御基板が遊技球払出しのための制御コマンド（遊技球払出コマンド）を出力し、その制御コマンドを受けて払出制御基板が払出装置を制御し、それにより払出装置から遊技球が誘導通路下流に払い出され、その払い出された遊技球が誘導通路を経て遊技者側（球受皿）に払い出される。しかし、その場合、払出装置の異常作動によって遊技球の払い出しが制御できなくなると、遊技球が遊技者側に無制限に払い出されてしまうことがあり、店側が不利益を被ってしまう。そこで、払出装置下方の誘導通路を、払出装置から払い出された遊技球を球受皿へ導く払出通路と、その遊技球を機外へ排出する球抜き通路とに分岐させるとともに、その分岐箇所に切換部材を設け、払出装置の異常作動を検出した場合に切換部材を払出通路側から球抜き通路側に切り換えることにより、遊技球が遊技者側に無制限で払出されてしまうことを未然に防ぐことができるようにしたパチンコ機が提案されている（特許文献１参照）。
【特許文献１】実開平２−６５９７５号公報
【発明の開示】
【発明が解決しようとする課題】
【０００３】
しかしながら、上記のように払出装置下方の誘導通路を払出通路と球抜き通路とに分岐させるとともに、その分岐箇所に切換部材を設けて、払出装置異常作動時には切換部材を払出通路側から球抜き通路側に切り換えるようパチンコ機を構成する場合に、従来の技術では、払出制御基板が払出装置を作動させて遊技球を払い出すとともに切換部材を作動させるため、払出装置の異常作動時に切換部材を球抜き通路側に切り換えて遊技球が遊技者側へ無制限に払い出されるのを防止することはできるが、払出制御基板でトラブルが発生して、例えば払出制御基板ＣＰＵが暴走して払出装置に連続して払出指示を行った場合、払出制御基板ＣＰＵには遊技球通過センサから遊技球通過信号が送られてくるため、払出制御基板ＣＰＵは正規の遊技球払出しが行われていると判断し、切換部材を払出通路側に維持し、そのため、正規の払出作動ができなくなり、遊技球が遊技者側へ無制限に払い出されてしまって、ホール側が不利益を被ってしまう。こうした問題は、パチンコ機以外の遊技機でも生じ得る。
【０００４】
したがって、パチンコ機等の遊技球を使用して遊技する遊技機において、払出装置異常作動時のみならず払出制御基板でのトラブル発生時にも遊技球が遊技者側に無制限に払い出されないようにすることが課題であり、その課題解決が本発明の目的である。
【課題を解決するための手段】
【０００５】
本発明は、パチンコ機等の遊技球を使用して遊技する遊技機において、払出装置下方の誘導通路を払出通路と球抜き通路とに分岐させるとともに、その分岐部に切換部材を設けて、切換部材を球抜き通路側に切り換えることで遊技球の遊技者側への払出しを阻止できるようにし、且つ、その切換部材の作動を主制御基板によって行うよう構成することにより、上記課題を解決したものである。
【０００６】
すなわち、本発明の遊技機は、所定条件の成立（始動口、入賞口、大入賞口等の、遊技盤面の所定領域への入賞や、プリペードカードユニットからの貸球指示の検出）を契機として遊技球払出信号を出力する払出信号発生手段と、払出信号発生手段からの遊技球払出信号を受けて遊技球払出制御コマンドを出力する主制御基板と、主制御基板からの遊技球払出制御コマンドを受けて遊技球の払い出しを制御する払出制御基板と、払出制御基板により制御されて遊技球を払い出す払出装置と、払出装置からの遊技球の払出しを検知する払出検知手段とを備え、払出装置から払い出された遊技球を誘導通路を介して球受皿へ導く遊技機において、誘導通路を、払出装置の下流で払出通路から払い出された遊技球を球受皿へ導く払出通路と遊技球を機外へ排出する球抜き通路とに分岐させるとともに、その分岐部に、払い出された遊技球を球抜き通路側に案内する第１の作動位置と遊技球を前記払出通路側に案内する第２の作動位置とに切り換え可能な切換部材を設け、切換部材を遊技球払出信号が出力されるまでは第１の作動位置に保持し、主制御基板が、遊技球払出信号が入力されると、遊技球払出信号に基づく遊技球の払出数を記憶手段に記憶するとともに切換部材を第１の作動位置から第２の作動位置に切り換え、払出検知手段により遊技球の払出しが検知される毎に記憶手段に記憶された払出数を減算して、記憶手段に記憶された払出数が「０」になったら前記切換部材を第２の作動位置から第１の作動位置へ切り換えるよう構成する。
【０００７】
この遊技機では、始動口、入賞口、大入賞口等の、遊技盤面の所定領域への入賞を契機として払出信号発生手段が遊技球払出信号（賞球払出信号）を出力し、あるいはプリペードカードユニットからの貸球指示の検出を契機として払出信号発生手段が遊技球払出信号（貸球払出信号）を出力し、それら遊技球払出信号が主制御基板に入力され、それにより主制御基板が遊技球払出しのための制御コマンド（遊技球払出コマンド）を出力し、その制御コマンドを受けて払出制御基板が払出装置を制御し、それにより払出装置から遊技球が誘導通路下流に払い出され、その払い出された遊技球が払出通路を介して遊技者側（球受皿）に払い出される。また、主制御基板により切換部材が制御され、遊技球払出信号が出力されるまでは球抜き通路側を開放する第１の作動位置に切換部材が保持され、遊技球払出信号が入力されると、払い出された遊技球を払出通路側に案内する第２の作動位置に切り換えられる。そして、主制御基板により、遊技球払出信号に基づく遊技球の払出数が記憶手段に記憶され、払出検知手段により遊技球の払出しが検知される毎に記憶手段に記憶された払出数が減算されて、記憶手段に記憶された払出数が「０」になったら切換部材が第２の作動位置から第１の作動位置へ切り換えられる。
【０００８】
こうして切換部材は主制御基板により制御され、払出装置が正規に作動しているとき以外（払出装置未作動時および払出装置異常作動時）は球抜き通路側に保持され、主制御基板に遊技球払出信号が入力されると、切換部材が球抜き通路側から払出通路側に切り換えられ、払出装置の正規の作動により払い出された遊技球が払出通路を経由して球受皿に払い出される。そして、正規の払い出しが終了すると切換部材が球抜き通路側に切り換えられる。
【０００９】
このように、払出装置の異常作動時には、切換部材は球抜き通路側に保持され、異常作動により払い出された遊技球は球抜き通路を経由して機外へ排出される。また、払出制御基板でのトラブルの発生によって払出装置から遊技球が払い出された場合にも、払い出された遊技球は球抜き通路を経由して機外へ排出される。そのため、払出装置の異常作動時のみならず、払出制御基板でのトラブル発生により払出装置から遊技球が払い出された場合でも、遊技球が遊技者側に無制限に払い出されるのを防止でき、店側が不利益を被らないようにすることができる。
【００１０】
また、この遊技機において、主制御基板は、遊技球払出信号に基づく遊技球払出制御コマンドを出力するまでに切換部材を第１の作動位置から第２の作動位置に切り換えるのがよい。そうすることで、遊技球払出しの制御コマンドを受けて払出制御基板が払出装置を制御し、払出装置から遊技球が払い出された時点では、切換部材が払出通路側に切り換わっていて、払出装置から払出された遊技球が確実に払出通路を経由して球受皿へ払い出されるようにすることができる。
【発明の効果】
【００１１】
以上の説明から明らかなように、本発明の遊技機は、パチンコ機等の遊技機において、払出装置下方の誘導通路を払出通路と球抜き通路とに分岐させるとともに、その分岐部に切換部材を設けて、切換部材を球抜き通路側に切り換えることで遊技球の遊技者側への払出しを阻止できるようにし、且つ、その切換部材は主制御基板により制御され、払出装置が正規に作動しているとき以外は球抜き通路側に保持され、主制御基板に遊技球払出信号が入力されると、払出通路側に切り換えられ、正規の払い出しが終了すると球抜き通路側に戻されるよう構成したものであって、払出装置の異常作動時のみならず、払出制御基板でのトラブル発生により払出装置から遊技球が払い出された場合でも、遊技球が遊技者側に無制限に払い出されるのを防止でき、店側が不利益を被らないようにすることができる。
【００１２】
そして、特に、主制御基板が遊技球払出信号に基づく遊技球払出しの制御コマンドを出力するまでに切換部材を払出通路側に切り換わっているよう構成することにより、払出装置から払出された遊技球が確実に払出通路を経由して球受皿へ払い出され、遊技者側が不利益を被らないようにすることができる。
【発明を実施するための最良の形態】
【００１３】
以下、本発明の実施の形態を図面に基づいて説明する。
【００１４】
図１〜図６は本発明の実施の形態の第１の例を示している。この実施の形態はパチンコ機におけるもので、図１はパチンコ機の裏面図、図２はパチンコ機の払出装置近傍の払出装置非作動時の拡大断面図（ａ）および払出装置作動時の拡大断面図（ｂ）、図３はパチンコ機の制御系の電気的接続構成を示す全体ブロック図、図４は、パチンコ機の制御系の電気的接続構成の特徴部分を抜粋して示すブロック図、図５は図４のブロック図の詳細図、図６はパチンコ機の主制御基板に遊技球払出指示が入力されてから遊技球の払出が完了するまでの払出制御および切換制御のタイミングチャートである。
【００１５】
この実施の形態のパチンコ機は、ＣＲ第１種パチンコ機であって、図１に示すように、背面から見てパチンコ機本体１の右側方にプリペードカードユニット２を備えている。そして、パチンコ機本体１は、例えば、遊技盤面に発射された遊技球の案内を兼ねるレールによって遊技領域が区画され、遊技領域には、普通図柄を変動及び停止表示させる普通図柄表示装置、普通図柄作動領域として普通図柄の変動契機を与える左・右普通図柄作動ゲート、特別図柄の変動契機を与える第１種始動口を兼ね、普通図柄が所定の図柄で停止表示されることによって左・右開閉羽根の開閉により通常状態から開放状態に変換される普通電動役物、第１種始動口での遊技球の検知を契機として特別図柄を変動及び停止表示させる特別図柄表示装置、特別図柄表示装置の表示領域において変動表示後に確定表示された特別図柄が大当り図柄である場合に開放動作する大入賞口を備えるとともに内部に遊技球の通過が後述のように大当り遊技の次ラウンドへの進行の契機となる特定領域とそれ以外の一般領域を備える変動入賞装置が設けられ、また、普通入賞口として左・右入賞口が設けられている。また、遊技領域には、所定の配置で多数の釘が打ち込まれ、例えば上部左右および下部左右に風車が設けられ、入賞しなかった遊技球をアウト球として回収するよう遊技領域の下端位置にアウト口が設けられている。遊技盤面には、また、普通図柄始動記憶表示ランプ、特別図柄始動記憶表示ランプ等が設けられている。
【００１６】
このパチンコ機は、発射装置によって遊技領域に遊技球を打ち込み、遊技領域を流下する遊技球を各入賞口または始動口に入賞させるよう遊技を行うもので、発射装置により遊技領域に撃ち込まれた遊技球が大入賞口へ入賞した時は、入賞球１個につき例えば１５個の遊技球が賞球として払い出され、その以外の入賞口（第１種始動口６を含む）に入賞した時は、例えば３個の遊技球が賞球として払い出される。
【００１７】
そして、このパチンコ機は、後述のように主制御基板を始めとする制御装置を備え、遊技球が左・右普通図柄作動ゲートを通過したことが検出されると、主制御基板において、その時点で当たりかハズレかを決めるための当たり乱数を抽選して当たり乱数値を抽出記憶するとともに、その当たり乱数値に基づいて、当たりか否かを判定し、普通図柄表示装置による普通図柄の変動を開始する。
【００１８】
普通図柄表示装置による図柄変動の変動時間は通常遊技状態では例えば２９秒で、後述の確変遊技状態では例えば５秒となる。そして、その所定の変動時間が経過した後、普通図柄表示装置の図柄変動が停止し、抽出された乱数値が当たり値（例えば「３」や「７」）の場合は当たり図柄、ハズレ値の場合はハズレ図柄を停止表示する。
【００１９】
そして、当たり図柄の態様で停止表示すると、普通電動役物の左・右開閉羽根が開放状態に所定時間変換する。開放時間は、通常遊技状態では例えば０．５秒で、確変遊技状態では例えば２秒となる。
【００２０】
また、普通図柄表示装置の図柄変動中に新たに遊技球が左・右普通図柄作動ゲートを通過すると、その都度、当たり乱数か乱数値を抽出し、当たり乱数から抽出された乱数値に対応する始動情報（普通図柄始動情報）を最大４個まで記憶するとともに、普通図柄始動記憶表示ランプを点灯させる。そして、図柄変動停止後に、記憶された始動情報に基づいて新たに図柄変動を開始する。
【００２１】
また、遊技球が第１種始動口を通過（入賞）したことが検知スイッチにより検出されると、それを契機として、遊技機の遊技動作の中で、特別図柄表示装置の図柄表示領域で図柄変動またはスクロールを開始するとともに、第１種始動口ＳＷ処理として、タイマデータ、大当り乱数、大当り図柄乱数、リーチ選択乱数を抽選して、タイマデータの値を取得し、大当り乱数の値、大当り図柄乱数の値、リーチ選択乱数の値を抽出し記憶する。そして、大当たり乱数から抽出した乱数値に対応する始動情報（特別図柄始動情報）を、図柄変動の停止まで記憶するとともに、特別図柄始動記憶表示ランプを点灯させる。そして、大当たり乱数の抽選結果、所定の大当たり確率（例えば１／３１５）で大当たりか否かを判定し、所定の態様で図柄を変動させた後、所定時間経過後に図柄変動を停止し、判定結果に基づいて大当たり図柄またはハズレ図柄を停止図柄として表示する。遊技開始時等の通常遊技状態で、大当たり図柄とならない場合(ハズレリーチ含む)、特別図柄の変動開始から確定停止までに要する時間（上記所定時間）は、約１０秒から約５０秒まで様々である。
【００２２】
そして、大当たりと判定され、図柄変動後、大当たり図柄が停止表示されると、「大当たり遊技」が発生し、特別電動役物が作動して大入賞口を所定開放時間（例えば３０秒）だけ開放する。そして、開放した大入賞口に入賞した遊技球がカウントスイッチによって検出され、所定開放時間（約３０秒）が経過するか、大入賞口に入賞した遊技球が所定数（例えば１０個）に達すると、大入賞口は閉じる。
【００２３】
大当たり遊技は、１回の大入賞口開放から閉口までの期間、つまり、大入賞口が開放されてから例えば約３０秒の所定開放時間が経過するか、大入賞口に入賞した遊技球が例えば１０個に達したことによって大入賞口が閉じるまでの期間を１ラウンドとして、大入賞口の開放中または閉口後の一定時間内に入賞した遊技球が大入賞口内部の特定領域を通過することを条件に、次ラウンドへの移行を可能とし、その場合、大入賞口が閉じた後、所定のインターバル時間が経過した後に再び大入賞口が開放され、１回の大当たりにおいて初回を含め最高１６ラウンドまで大当たり遊技が継続可能である。そして、ラウンド中に遊技球が特定領域を通過しなかった場合又は最高ラウンド数の例えば１６ラウンドに達したときには、そのラウンドで大当たりが終了し、通常遊技状態に戻る。そして、最終ラウンドで大入賞口が閉口し、大当たり終了ディレー時間（例えば１０秒）が経過すると、「大当たり遊技」を終了する。
【００２４】
また、特別図柄が大当たり図柄のうちの特定の図柄で停止表示されると、「大当たり遊技」終了後に、特別遊技状態として、特別図柄について単位時間あたりの変動回数が多くなるよう変動時間が短縮される「時短遊技」、大当たり確率が通常よりも高い確率に変更される「確変遊技」、普通電動役物の開放時間延長等の付加利得遊技が発生する。なお、これら時短遊技、確変遊技、普通電動役物の開放時間延長等の付加利得遊技を総称して「確変遊技」という場合もある。
【００２５】
そして、特別図柄表示装置による図柄変動の途中で、遊技球が普通電動役物（第１種始動口）に入賞すると、その都度、大当たり乱数から乱数値を抽出して、最大４個までを始動情報（特別図柄始動情報）として記憶し、変動中の図柄が停止した後、記憶された始動情報に基づいて順次新たな図柄変動を開始する。
【００２６】
以上の構成および動作は、従来のＣＲ第１種パチンコ機と同様である。
【００２７】
そして、このパチンコ機には、図１に示すように、パチンコ機本体１の裏面（前枠の背面）に、裏セット機構板３が取り付けられている。そして、裏セット機構板３の左最上部には、島設備から供給される遊技球を払い出し用として一時的に多数貯留するための球貯留空間を構成する球タンク４が設けられている。そして、裏セット機構板３の左側部には、球タンク４の下に、遊技内容等に伴うＬＥＤランプ等の点灯、点滅、消灯を制御するランプ制御基板５と、遊技内容等に伴う図柄、効果音等の演出制御を行う演出制御基板（図柄音声制御基板）６とが上下に並んで設けられている。
【００２８】
また、裏セット機構板３の略中央には、カバー７に覆われて各種の基板、端子板、スイッチ等が配置され、その下方に、遊技球の発射や払い出しおよび遊技盤面における遊技内容等の制御を含む遊技全般の制御を司る主制御基板８が配置されている。
【００２９】
また、裏セット機構板３の最上部右隅には、遊技機に関わる様々な遊技結果等の遊技情報を遊技店側に送信する盤用外部端子板９および枠用外部端子板１０が配置されている。そして、裏セット機構板３の右下部には、各基板へ電力を供給する電源基板１１と、遊技球の払い出しを制御する払出制御基板１２とが重なる配置で設けられている。
【００３０】
また、裏セット機構板３の右側部には、賞球および貸球を払い出す払出装置１３が配置されている。そして、裏セット機構板３の上部には、左最上部の球タンク４から遊技球を払出装置１３へ向けて案内するための誘導通路を構成するタンクレール１４、ケースレール１５およびガイドレール１６が設けられている。そして、ケースレール１５には後述の球切れスイッチが設けられている。また、裏セット機構板３の下部には、払出装置１３から払い出す遊技球をパチンコ機本体１の下部前面の球受皿へ導くための、後述のように払出通路と球抜き通路とに分岐させた誘導通路を構成する誘導樋１７が設けられている。そして、誘導樋１７の下部流出口１８の側壁には後述の下皿満杯スイッチが設けられている。
【００３１】
また、裏セット機構板３の左最下部には、遊技球を発射する発射装置１９と、それを駆動する発射モータ２０が設けられ、発射モータ２０の上方に、発射モータ２０の駆動を制御する発射制御基板２１が設けられている。
【００３２】
そして、プリペードカードニット２がプリペードカード接続端子２２を介してプリペードカードニット２が主制御基板８に接続されている
【００３３】
払出装置１３の内部には、通常時は図２の（ａ）に示すように遊技球を遮断し、賞球・貸球払出時は遊技球を通過可能とする球止片３１と、それを駆動する払出ソレノイド３２が設けられ、また、遊技球の通過を検出する払出センサ３３（払出検知手段）が設けられている。そして、払出装置１３の下方に連接する誘導樋１７内部の誘導通路３４は、遊技機前面の球受皿へ遊技球を導く払出通路３５と機外へ遊技球を排出する球抜き通路３６とに分岐し、その分岐部には、払出装置１３から払い出された遊技球を球抜き通路３６側（機外側）へ案内する第１の作動位置と、払出装置１３から払い出された遊技球を払出通路３５側（球受皿側）へ案内する第２の作動位置とに切り換える切換部材３７が設けられている。切換部材３７は、常時は球抜き通路３６側（機外側）を開放する第１の作動位置に保持され、後述のように切換ソレノイドにより、球抜き通路３６側（機外側）を開放する第１の作動位置と、払出通路３５側（球受皿側）を開放する第２の作動位置とに切換えられる。
【００３４】
このパチンコ機の制御系の電気的接続構成は図３に示す全体ブロック図のとおりであり、その発明特徴部分は図４に示すとおりであり、詳細には図５に示すとおりである。
【００３５】
主制御基板８には、主基板ＣＰＵ４１および各種入出力ポートと、記憶装置（図示せず）が搭載され、また、切換ソレノイド駆動回路４２が搭載されている。
【００３６】
そして、主制御基板８（主基板ＣＰＵ４１）には、遊技球が右入賞口に入賞したことを検出する右入賞口スイッチ４３、遊技球が左入賞口に入賞したことを検出する左入賞口スイッチ４４、遊技球が左・右普通図柄作動ゲートを通過したことを検出するゲートスイッチ４５、遊技球が第１種始動口に入賞したことを検出する始動口１スイッチ（第１種始動口ＳＷ）４６および始動口２スイッチ（普通電動役物ＳＷ）４７からの検出信号が盤面中継端子板４８を介して入力され、遊技球が大入賞口に入賞したことを検出する大入賞口スイッチ４９からの検出信号が、大入賞口中継端子板５０および盤面中継端子板４８を介して入力される。
【００３７】
また、主制御基板８（主基板ＣＰＵ４１）には、払出制御基板１２（出力ポート）を介して払出センサ３３からの払出センサ信号が入力され、また、球切れスイッチ５１および下皿満杯スイッチ５２からの異常検出信号が入力される。
【００３８】
また、プリペードカードユニット２は、プリペードカード接続端子２２に接続する遊技球等貸出装置接続端子板５３を介して主制御基板８（主基板ＣＰＵ４１）に入出力可能に接続されている。
【００３９】
そして、主制御基板８（主基板ＣＰＵ４１）は、演出制御基板６、ランプ制御基板５および払出制御基板１２に制御コマンドを出力し、発射制御基板２１に発射開始・停止信号を出力する。また、主制御基板８（主基板ＣＰＵ４１）は、図柄中継端子板５４を介して図柄表示基板５５、図柄記憶表示右基板５６および図柄記憶表示左基板５７を制御し、切換部材中継端子板５８を介して切換部材３７（切換ソレノイド５９）を制御する。
【００４０】
また、主制御基板８（主基板ＣＰＵ４１）は、盤面中継端子板４８を介して普通電動役物ソレノイド６４を制御し、また、盤面中継端子板４８および大入賞口中継端子板５０を介して大入賞口ソレノイド６０を制御する。
【００４１】
また、主制御基板８（主基板ＣＰＵ４１）は、遊技球等貸出装置接続端子板５３を介し度数表示基板６１に接続されている。
【００４２】
演出制御基板６は、演出制御機能分離中継端子板６２を介し主制御基板８からの制御コマンドを受けて演出表示器６３を制御する。
【００４３】
ランプ制御基板５は、演出制御基板６の出力ポートを介して主制御基板８から制御コマンドを受け、ランプの点灯、点滅、消灯を制御する。
【００４４】
払出制御基板１２には、払出基板ＣＰＵ７１および各種入出力ポートと、記憶装置（図示せず）が搭載され、また、払出ソレノイド駆動回路７２が搭載されている。そして、払出制御基板１２（払出基板ＣＰＵ７１）は、主制御基板８（主基板ＣＰＵ４１）からの制御コマンドを受けて、払出ソレノイド駆動回路７２を介し払出装置１３（払出ソレノイド３２）を制御して賞球・貸球払出しの動作をさせるとともに、球切れスイッチ５１、下皿満杯スイッチ５２からの異常検出信号が入力されることにより主制御基板８（主基板ＣＰＵ４１）から出力される球切れ異常信号を受けて、払出動作を停止するように払出装置１３（払出ソレノイド３２）を制御する。
【００４５】
発射制御基板２１は、発射スイッチ７３、タッチセンサ７４、発射強度電子ボリューム７５からの信号入力を受け、また、払出制御基板１２の出力ポートを介し主制御基板８（主基板ＣＰＵ４１）からの発射開始・停止信号を受けて、発射装置の発射ソレノイド７６を制御し、球送り中継端子板７７を介して球送りソレノイド７８を制御する。
【００４６】
電源基板１１は、ＡＣ２４Ｖ（５０Ｈｚ／６０Ｈｚ）の主電源８０から電力の供給を受け、主制御基板８、払出制御基板１２、発射制御基板２１にそれぞれ必要電力を供給し、また、演出電源機能分離中継端子板８１を介して演出制御基板６に必要電力を供給する。
【００４７】
このパチンコ機は、始動口１スイッチ４６、始動口２スイッチ４７、左・右入賞口スイッチ４３，４４および大入賞口スイッチ４９が、始動口、左・右入賞口および大入賞口（遊技盤面の所定領域）への入賞を契機として遊技球払出信号（賞球払出信号）を出力する払出信号発生手段を構成し、また、プリペードカードユニット２が、貸球指示の検出を契機として遊技球払出信号（貸球払出信号）を出力する払出信号発生手段を構成する。そして、これら始動口１スイッチ４６、始動口２スイッチ４７、左・右入賞口スイッチ４３，４４あるいは大入賞口スイッチ４９からの遊技球払出信号（賞球払出信号）が主制御基板８（主基板ＣＰＵ４１）に入力され、また、プリペードカードユニット２からの遊技球払出信号が主制御基板８（主基板ＣＰＵ４４）に入力される。
【００４８】
そして、主制御基板８（主基板ＣＰＵ４１）は、遊技球払出信号が入力されたと判断すると、払出制御基板１２に制御コマンド（遊技球払出コマンド）と転送信号（ストローブ信号）を出力するとともに、切換ソレノイド駆動回路４２を介して切換ソレノイド５９を「ＯＮ」にして、切換部材３７を、球抜き通路３６側（機外側）を開放する第１の作動位置から、払い出された遊技球を払出通路３５側（球受皿側）に案内する第２の作動位置に切り換える。
【００４９】
そして、払出制御基板１２（払出基板ＣＰＵ７１）は、転送信号（ストローブ信号）が入力されたと判断すると、入力された制御コマンド（遊技球払出コマンド）の内容を確認し、制御コマンド（遊技球払出コマンド）の内容に基いた遊技球の払出しを行うため、払出ソレノイド駆動回路７２を介して払出装置１３内部に設けられている払出ソレノイド３２を「ＯＮ」にする。それにより、払出装置１３から遊技球が誘導通路３４下流に払い出される。このとき、切換部材３７は払出通路３５側（球受皿側）に切り換えられている。そのため、払出装置１３から払い出された遊技球は、払出通路３５を経由して遊技者側（球受皿）に払い出される。
【００５０】
また、払出装置１３から払出された遊技球が払出センサ３３を通過すると、その都度、払出センサ信号が主制御基板８（主基板ＣＰＵ４１）と払出制御基板１２（払出基板ＣＰＵ７１）に出力される。そして、払出制御基板１２（払出基板ＣＰＵ７１）は、主制御基板８（主基板ＣＰＵ４１）から出力された払出数から払出センサ信号が入力された数を減算し、減算結果が「０」になるまで、払出ソレノイド駆動回路７２を介し払出装置１３内部に設けられている払出ソレノイド３２の「ＯＮ」状態を継続して遊技球の払出しを行い、減算結果が「０」になると、払出ソレノイド３２を「ＯＦＦ」にして遊技球の払出しを停止する。
【００５１】
また、主制御基板８（主基板ＣＰＵ４１）は、払出制御基板１２（払出基板ＣＰＵ７１）に出力した払出数から払出センサ信号が入力された数を減算し、減算結果が「０」になると、切換ソレノイド駆動回路４２を介して切換ソレノイド５９を「ＯＦＦ」にして、切換部材３７を払出通路３５側（球受皿側）に案内する第２の作動位置から、球抜き通路３６側（機外側）に案内する第１の作動位置に切り換える。
【００５２】
こうして切換部材３７が第１の作動位置に切り換えられると、それ以降は、例えば払出制御基板１２（払出基板ＣＰＵ７１）の異常作動（暴走等）により払出装置１３からの遊技球の払出しが止らなくなっても、遊技球は球抜き通路３６を経由して機外へ排出され、球受皿には払い出されない。
【００５３】
また、払出装置１３の未作動時および異状作動時に、払出制御基板１２（払出基板ＣＰＵ７１）でのトラブルの発生によって払出装置１３から遊技球が払い出された場合にも、切換部材３７は第１の作動位置にあって、払い出された遊技球は球抜き通路３６を経由して機外へ排出される。
【００５４】
このように、払出装置１３の異常作動時のみならず、払出制御基板１２（払出基板ＣＰＵ７１）でのトラブル発生により払出装置１３から遊技球が払い出された場合でも、遊技球が遊技者側に無制限に払い出されるのを防止でき、店側が不利益を被らないようにすることができる。
【００５５】
図６は、主制御基板８（主基板ＣＰＵ４１）に遊技球払出指示（遊技球払出信号）が入力されてから遊技球の払出が完了するまでの払出制御および切換制御の一例として、始動口１スイッチ４６（始動口１ＳＷ）から遊技球３個の賞球払出指示が入力され、次いで、プリペードカードユニット２からの「100円分」（遊技球２５個）の貸球指示（ＢＲＱ信号）」が入力された場合のタイミングチャートを示している。
【００５６】
この場合、主制御基板８（主基板ＣＰＵ４１）は、始動口１スイッチ４６「ＯＮ」を検出すると、その時点（ａ）で遊技球３個の払出しを行うために払出制御基板１２（払出基板ＣＰＵ７１）に２バイトの制御コマンド（遊技球払出コマンド）「４０Ｈ」「０３Ｈ」と転送信号（ストローブ信号）「ＯＮ」を出力し、同時（１バイト目制御コマンド出力時）に、切換ソレノイド５９を「ＯＮ」にして、切換部材３７を球抜き通路３６側（機外側）の第１の作動位置から払出通路３５側（球受皿側）の第２の作動位置へ切り換える。
【００５７】
そして、主制御基板８（主基板ＣＰＵ４１）は、払出センサ３３から入力された払出センサ信号が指示された払出数「３」と同数になった（減算結果が「０」）と判断すると、切換ソレノイド５９を「ＯＦＦ」にして、切換部材３７を、払い出された遊技球を払出通路３５側（球受皿側）に案内する第２の作動位置から、球抜き通路３６側（機外側）を開放する第１の作動位置に切り換える。
【００５８】
ただし、この実施の形態のパチンコ機では、図２に示すように払出センサ３３と切換部材３７との間に距離があるため、３個目の払出センサ信号が主制御基板８（主基板ＣＰＵ４１）に入力し払出センサ信号が指示された払出数「３」と同数となった（減算結果が「０」）と判断した時点（ｂ）で即座に切換ソレノイド５９を「ＯＦＦ」にして切換部材３７を払出通路３５側（球受皿側）の第２の作動位置から球抜き通路３６側（機外側）の第１の作動位置へ切り換えてしまうと、３個目の遊技球が払出通路３５側（球受皿側）に払出されない可能性がある。そのため、実際には、３個目の払出センサ信号が主制御基板８（主基板ＣＰＵ４１）に入力されてから所定時間ΔＸ（例えば１秒）経過した時点（ｃ）で、切換ソレノイド５９を「ＯＦＦ」にして切換部材３７を払出通路３５側（球受皿側）の第２の作動位置から球抜き通路３６側（機外側）の第１の作動位置へ切り換えるのが望ましい。
【００５９】
次に、主制御基板８（主基板ＣＰＵ４１）が「100円分」（遊技球２５個）の貸球指示（ＢＲＱ信号「ＯＮ」）を検出すると、主制御基板８（主基板ＣＰＵ４１）は、遊技球２５個の払出しを行うために払出制御基板１２（払出基板ＣＰＵ７１）に２バイトの制御コマンド（遊技球払出コマンド）「４０Ｈ」「１９Ｈ」と転送信号（ストローブ信号）「ＯＮ」を出力し、同時に、切換ソレノイド５９を「ＯＮ」にして、切換部材３７を球抜き通路３６側（機外側）の第１の作動位置から払出通路３５側（球受皿側）の第２の作動位置へ切り換える。ただし、この場合も、２５個目の払出センサ信号が主制御基板８（主基板ＣＰＵ４１）に入力し払出センサ信号が指示された払出数「２５」と同数となった（減算結果が「０」）と判断した時点（ｅ）で即座に切り換えてしまうと、２５個目の遊技球が払出通路３５側（球受皿側）に払出されない可能性があるため、実際には、２５個目の払出センサ信号が主制御基板８（主基板ＣＰＵ４１）に入力されてから所定時間ΔＸ（例えば１秒）経過した時点（ｆ）で、切換ソレノイド５９を「ＯＦＦ」にして切換部材３７を払出通路３５側（球受皿側）の第２の作動位置から球抜き通路３６側（機外側）の第１の作動位置へ切り換えるのが望ましい。
【００６０】
なお、図６に示す例は、遊技球払出指示が単発的で、先の遊技球払出指示に基づく払出しが完了してから後の遊技球払出指示が発生した場合であるが、先の遊技球払出指示に基づく払出しが完了するまでに再度遊技球払出指示が発生する場合もある。その場合は、記憶装置に遊技球払出指示に基づく払出数（先の遊技球払出指示に基づく払出数の残数に後の遊技球払出指示に基づく払出数を加えたもの）を記憶し、記憶した払出数が「０」になるまで切換部材３７を払出通路３５側（球受皿側）の第２の作動位置へ切り換え、記憶した払出数が「０」になった時点で切換部材３７を球抜き通路３６側（機外側）の第１の作動位置へ切り換える。
【００６１】
また、図６に示す例では、主制御基板８（主基板ＣＰＵ４１）が払出制御基板１２（払出基板ＣＰＵ７１）に出力する２バイトの制御コマンド（遊技球払出コマンド）は、賞球による払出指示なのか貸球による払出指示なのか区別ができない制御コマンドであるが、この制御コマンド（遊技球払出コマンド）は、賞球による払出指示なのか貸球による払出指示なのか区別できるように、２バイト目の特定ビット（例えば第７ビット目）を賞球・貸球区別ビットとすることもできる。
【００６２】
また、図６に示す例では、切換部材ソレノイド５９を「ＯＮ」にして切換部材３７を球抜き通路３６側（機外側）の第１の作動位置から払出通路３５側（球受皿側）の第２の作動位置に切り換えるタイミングを、１バイト目制御コマンド出力時としているが、２バイト目制御コマン出力時に切換部材ソレノイド５９を「ＯＮ」にして切換部材３７を球抜き通路３６側（機外側）の第１の作動位置から払出通路３５側（球受皿側）の第２の作動位置に切り換えてもよい。
【００６３】
払出制御基板１２（払出基板ＣＰＵ７１）は、２バイト１命令の制御コマンドが入力されると、入力された２バイト１命令の制御コマンドの内容を解読した上で、遊技球払出命令であれば払出装置１３を作動させる。そのようにして払出装置１３が作動して初めて払出装置１３から遊技球が払い出される。そのため、切換部材ソレノイド５９を「ＯＮ」にして切換部材３７を球抜き通路３６側（機外側）の第１の作動位置から払出通路３５側（球受皿側）の第２の作動位置に切り換えるタイミングとしては、払出装置１３が作動して遊技球が払出されるまでに切り換えが間に合うタイミングであればよい。しかし、切換部材ソレノイド５９を「ＯＮ」にしてから切換部材３７が実際に球抜き通路３６側（機外側）の第１の作動位置から払出通路３５側（球受皿側）の第２の作動位置切り換わるまでに要する時間というものがある。図６に示す例は、この切換部材３７が切り換わるまでの時間を考慮して、１バイト目制御コマンド出力時に切換部材を切り換えているのである。
【００６４】
図７〜図１０は本発明の実施の形態の第２の例を示している。この実施の形態はパチンコ機におけるもので、図７はパチンコ機の裏面図、図８はパチンコ機の制御系の電気的接続構成を示す全体ブロック図、図９はパチンコ機の制御系の電気的接続構成の特徴部分を抜粋して示すブロック図、図１０は図９のブロック図の詳細図である。先の実施の形態（第１の例）の図１〜図５と共通する部分については、図中同一の符号を付している。なお、図２に示す払出装置近傍の払出装置非作動時の拡大断面図（ａ）および払出装置作動時の拡大断面図（ｂ）と、図６のタイミングチャートは、この実施の形態のパチンコ機にも当てはまる。以下、先の実施の形態（第１の例）と共通する部分の構成および動作等については重複する説明を適宜省略し、この実施の形態（第２の例）の特徴部分を中心に説明する。
【００６５】
先の実施の形態（第１の例）では、プリペードカードユニット２は主制御基板８（主基板ＣＰＵ４１）に入出力可能に接続されていたが、この実施の形態（第２の例）の場合、プリペードカードユニット２は、払出制御基板１２（払出基板ＣＰＵ７１）に入出力可能に接続されるとともに、主制御基板８（主基板ＣＰＵ４１）に出力可能に接続されている。
【００６６】
つまり、この実施の形態では、プリペードカードユニット２から払出制御基板１２（払出基板ＣＰＵ７１）に貸球指示（ＢＲＱ信号）が出力されるとともに、主制御基板８（主基板ＣＰＵ４１）に貸球払出切換指示信号（貸球払出を行うため切換部材３７を機外側（第１の作動位置）から球受皿側（第２の作動位置）へ切り換えるための切換指示信号）が出力され、主制御基板８（主基板ＣＰＵ４１）は貸球払出切換指示信号が入力されたと判断すると切換部材３７を機外側（第１の作動位置）から受皿側（第２の作動位置）へ切り換える。
【００６７】
この実施の形態のパチンコ機は、先の実施の形態（第１の例）と同様にＣＲ第１種パチンコ機で、図７に示すように、背面から見てパチンコ機本体１の右側方にプリペードカードユニット２を備えている。また、パチンコ機本体１裏面の各基板および装置の配置も基本的には先の実施の形態（第１の例）と同様であり、払出装置１３の構成も先の実施の形態（第１の例）と同様である。また、先の実施の形態（第１の例）と同様に、払出装置１３の下方に連接する誘導樋１７内部の誘導通路３４は、遊技機前面の球受皿へ遊技球を導く払出通路３５と機外へ遊技球を排出する球抜き通路３６とに分岐し、その分岐部には、払出装置１３から払い出された遊技球を球抜き通路３６側（機外側）へ案内する第１の作動位置と、払出装置１３から払い出された遊技球を払出通路３５側（球受皿側）へ案内する第２の作動位置とに切り換える切換部材３７が設けられている。そして、切換部材３７は、常時は球抜き通路３６側（機外側）を開放する第１の作動位置に保持され、後述のように切換ソレノイドにより、球抜き通路３６側（機外側）を開放する第１の作動位置と、払出通路３５側（球受皿側）を開放する第２の作動位置とに切換えられる。
【００６８】
ただし、先の実施の形態（第１の例）では、プリペードカード接続端子２２を介してプリペードカードニット２が主制御基板８に接続されているが、この実施の形態（第２の例）では、プリペードカードユニット２はプリペードカード接続端子２２Ａを介して主制御基板８に接続されるとともに、もう１個のプリペードカード接続端子２２Ｂを介して払出制御基板１２に接続されている。
【００６９】
この実施の形態のパチンコ機の制御系の電気的接続構成は図８に示す全体ブロック図のとおりであり、その発明特徴部分は図９に示すとおりであり、詳細には図１０に示すとおりであって、基本的には先の実施の形態（第１の例）と同様である。
【００７０】
主制御基板８には、主基板ＣＰＵ４１および各種入出力ポートと、記憶装置（図示せず）が搭載され、また、切換ソレノイド駆動回路４２が搭載されている。
【００７１】
そして、主制御基板８（主基板ＣＰＵ４１）には、遊技球が右入賞口に入賞したことを検出する右入賞口スイッチ４３、遊技球が左入賞口に入賞したことを検出する左入賞口スイッチ４４、遊技球が左・右普通図柄作動ゲートを通過したことを検出するゲートスイッチ４５、遊技球が第１種始動口に入賞したことを検出する始動口１スイッチ（第１種始動口ＳＷ）４６および始動口２スイッチ（普通電動役物ＳＷ）４７からの検出信号が盤面中継端子板４８を介して入力され、遊技球が大入賞口に入賞したことを検出する大入賞口スイッチ４９からの検出信号が、大入賞口中継端子板５０および盤面中継端子板４８を介して入力される。
【００７２】
また、主制御基板８（主基板ＣＰＵ４１）には、払出制御基板１２（出力ポート）を介して払出センサ３３からの払出センサ信号が入力され、また、球切れスイッチ５１および下皿満杯スイッチ５２からの異常検出信号が入力される。
【００７３】
払出制御基板１２には、払出基板ＣＰＵ７１および各種入出力ポートと、記憶装置（図示せず）が搭載され、また、払出ソレノイド駆動回路７２が搭載されている。そして、払出制御基板１２（払出基板ＣＰＵ７１）は、主制御基板８（主基板ＣＰＵ４１）からの制御コマンドを受けて、払出ソレノイド駆動回路７２を介し払出装置１３（払出ソレノイド３２）を制御して賞球・貸球払出しの動作をさせるとともに、球切れスイッチ５１、下皿満杯スイッチ５２からの異常検出信号が入力されることにより主制御基板８（主基板ＣＰＵ４１）から出力される球切れ異常信号を受けて、払出動作を停止するように払出装置１３（払出ソレノイド３２）を制御する。
【００７４】
また、プリペードカードユニット２は、遊技球等貸出装置接続端子板５３を介し、またプリペードカード接続端子２２Ａを介して主制御基板８（主基板ＣＰＵ４１）に出力可能に接続され、遊技球等貸出装置接続端子板５３を介し、またプリペードカード接続端子２２Ｂを介して払出制御基板１２（払出基板ＣＰＵ７１）に入出力可能に接続されている。
【００７５】
このパチンコ機は、始動口１スイッチ４６、始動口２スイッチ４７、左・右入賞口スイッチ４３，４４および大入賞口スイッチ４９が、始動口、左・右入賞口および大入賞口（遊技盤面の所定領域）への入賞を契機として賞球払出信号（遊技球払出信号）を出力する払出信号発生手段を構成し、また、プリペードカードユニット２が、貸球指示の検出を契機として貸球払出信号（遊技球払出信号）を出力する払出信号発生手段を構成する。
【００７６】
そして、始動口１スイッチ４６、始動口２スイッチ４７、左・右入賞口スイッチ４３，４４あるいは大入賞口スイッチ４９からの賞球払出信号が主制御基板８（主基板ＣＰＵ４１）に入力される。また、貸球払出信号は、貸球払出指示信号と貸球払出切換指示信号とからなり、プリペードカードユニット２から払出制御基板１２（払出基板ＣＰＵ７１）に貸球払出指示信号が出力されるタイミングで主制御基板８（主基板ＣＰＵ４１）に貸球払出切換指示信号が入力される。
【００７７】
そして、主制御基板８（主基板ＣＰＵ４１）は、賞球払出信号が入力されたと判断すると、払出制御基板１２に制御コマンド（遊技球払出コマンド）と転送信号（ストローブ信号）を出力するとともに、切換ソレノイド駆動回路４２を介して切換ソレノイド５９を「ＯＮ」にして、切換部材３７を、球抜き通路３６側（機外側）を開放する第１の作動位置から、払い出された遊技球を払出通路３５側（球受皿側）に案内する第２の作動位置に切り換える。
【００７８】
また、主制御基板８（主基板ＣＰＵ４１）は、貸球払出切換指示信号が入力されたと判断すると、払出制御基板１２に制御コマンド（遊技球払出コマンド）と転送信号（ストローブ信号）を出力するとともに、切換ソレノイド駆動回路４２を介して切換ソレノイド５９を「ＯＮ」にして、切換部材３７を、球抜き通路３６側（機外側）を開放する第１の作動位置から、払い出された遊技球を払出通路３５側（球受皿側）に案内する第２の作動位置に切り換える。
【００７９】
そして、払出制御基板１２（払出基板ＣＰＵ７１）は、転送信号（ストローブ信号）が入力されたと判断すると、入力された制御コマンド（遊技球払出コマンド）の内容を確認し、制御コマンド（遊技球払出コマンド）の内容に基いた遊技球の払出しを行うため、払出ソレノイド駆動回路７２を介して払出装置１３内部に設けられている払出ソレノイド３２を「ＯＮ」にする。それにより、払出装置１３から遊技球が誘導通路３４下流に払い出される。このとき、切換部材３７は払出通路３５側（球受皿側）に切り換えられている。そのため、払出装置１３から払い出された遊技球は、払出通路３５を経由して遊技者側（球受皿）に払い出される。
【００８０】
また、払出装置１３から払出された遊技球が払出センサ３３を通過すると、その都度、払出センサ信号が主制御基板８（主基板ＣＰＵ４１）と払出制御基板１２（払出基板ＣＰＵ７１）に出力される。そして、払出制御基板１２（払出基板ＣＰＵ７１）は、主制御基板８（主基板ＣＰＵ４１）から出力された払出数から払出センサ信号が入力された数を減算し、減算結果が「０」になるまで、払出ソレノイド駆動回路７２を介し払出装置１３内部に設けられている払出ソレノイド３２の「ＯＮ」状態を継続して遊技球の払出しを行い、減算結果が「０」になると、払出ソレノイド３２を「ＯＦＦ」にして遊技球の払出しを停止する。
【００８１】
また、主制御基板８（主基板ＣＰＵ４１）は、払出制御基板１２（払出基板ＣＰＵ７１）に出力した払出数から払出センサ信号が入力された数を減算し、減算結果が「０」になると、切換ソレノイド駆動回路４２を介して切換ソレノイド５９を「ＯＦＦ」にして、切換部材３７を払い出された遊技球を払出通路３５側（球受皿側）に案内する第２の作動位置から、球抜き通路３６側（機外側）を開放する第１の作動位置に切り換える。
【００８２】
こうして切換部材３７が第１の作動位置に切り換えられると、それ以降は、例えば払出制御基板１２（払出基板ＣＰＵ７１）の異常作動（暴走等）により払出装置１３からの遊技球の払出しが止らなくなっても、遊技球は球抜き通路３６を経由して機外へ排出され、球受皿には払い出されない。
【００８３】
また、払出装置１３の未作動時および異状作動時に、払出制御基板１２（払出基板ＣＰＵ７１）でのトラブルの発生によって払出装置１３から遊技球が払い出された場合にも、切換部材３７は第１の作動位置にあって、払い出された遊技球は球抜き通路３６を経由して機外へ排出される。
【００８４】
このように、払出装置１３の異常作動時のみならず、払出制御基板１２（払出基板ＣＰＵ７１）でのトラブル発生により払出装置１３から遊技球が払い出された場合でも、遊技球が遊技者側に無制限に払い出されるのを防止でき、店側が不利益を被らないようにすることができる。
【００８５】
以上、ＣＲ第１種パチンコ機の例を説明したが、本発明は、ＣＲ機以外の第１種パチンコ機、第１種および第２種パチンコ機を組み合わせたパチンコ機、第１種パチンコ機および第３種パチンコ機を組み合わせたパチンコ機、あるいは、第１種〜第３種パチンコ機を組み合わせたパチンコ機にも適用することができ、パチンコ機に類する他の遊技機にも適用することができる。
【図面の簡単な説明】
【００８６】
【図１】本発明の実施の形態の第１の例のパチンコ機の裏面図である。
【図２】本発明の実施の形態の第１の例のパチンコ機の払出装置近傍の払出装置非作動時の拡大断面図（ａ）および払出装置作動時の拡大断面図（ｂ）である。
【図３】本発明の実施の形態の第１の例のパチンコ機の制御系の電気的接続構成を示す全体ブロック図である。
【図４】本発明の実施の形態の第１の例のパチンコ機の制御系の電気的接続構成の特徴部分を抜粋して示すブロック図である。
【図５】図４のブロック図の詳細図である。
【図６】本発明の実施の形態の第１の例のパチンコ機の主制御基板に遊技球払出指示が入力されてから遊技球の払出が完了するまでの払出制御および切換制御のタイミングチャートである。
【図７】本発明の実施の形態の第２の例のパチンコ機の裏面図である。
【図８】本発明の実施の形態の第２の例のパチンコ機の制御系の電気的接続構成を示す全体ブロック図である。
【図９】本発明の実施の形態の第２の例のパチンコ機の制御系の電気的接続構成の特徴部分を抜粋して示すブロック図である。
【図１０】図９のブロック図の詳細図である。
【符号の説明】
【００８７】
１  パチンコ機本体
２  プリペードカードユニット
３  裏セット機構板
８  主制御基板
１２  払出制御基板
１３  払出装置
２２、２２Ａ、２２Ｂ  プリペードカード接続端子
３１  球止片
３２  払出ソレノイド
３３  払出センサ
３４  誘導通路
３５  払出通路
３６  球抜き通路
３７  切換部材
４１  主基板ＣＰＵ
４２  切換ソレノイド駆動回路
５９  切換ソレノイド
７１  払出基板ＣＰＵ
７２  払出ソレノイド駆動回路
【図１】
2006305080.tif 000003
【図２】
2006305080.tif 000004
【図３】
2006305080.tif 000005
【図４】
2006305080.tif 000006
【図５】
2006305080.tif 000007
【図６】
2006305080.tif 000008
【図７】
2006305080.tif 000009
【図８】
2006305080.tif 000010
【図９】
2006305080.tif 000011
【図１０】
2006305080.tif 000012